(57)【要約】【課題】画像形成装置において記録媒体に画像を形成したときにその記録媒体に対する画像の位置がずれていたとしても、指標片に形成する画像の位置を本来の位置に近づけることを可能にする。【解決手段】ユーザは、画像形成部１６の図示しない供給装置に、未使用の調整シートを置き、操作部１５を操作して目盛画像の形成を指示すると、ＣＰＵ１１の制御の下、この供給装置は調整シートを搬送し、画像形成部１６は搬送された調整シートの表面に目盛画像を形成する。次に、ユーザは、目盛画像が形成された調整シートにタブ紙を重ね合わせ、タブ紙のタブ領域の位置を調整シートに形成された目盛画像により読み取る。そして、ユーザは読み取った位置調整情報を操作部１５の液晶表示面に表示された設定ユーザ・インターフェースに入力する。【選択図】図２
2011043613.tif 000002
【特許請求の範囲】
【請求項１】
位置に応じた目盛を表す画像である目盛画像を記録媒体に形成して、目盛付記録媒体を生成する生成手段と、
文書の閲覧者に対する指標となる指標片を有する記録媒体である指標片付記録媒体と生成された前記目盛付記録媒体とが重ね合わせられた状態で当該目盛付記録媒体の目盛画像が指し示す、前記指標片付記録媒体の前記指標片の位置を表す数値の入力を受け付ける受付手段と、
前記指標片を有する記録媒体である指標片付記録媒体において、前記受付手段により入力が受け付けられた数値に応じた位置に画像を形成する画像形成手段と
を具備することを特徴とする画像形成装置。
【請求項２】
前記指標片付記録媒体と前記目盛付記録媒体とが重ね合わせられた状態で当該目盛付記録媒体の目盛画像を読み取る読取手段を具備し、
前記受付手段は、前記読取手段によって読み取られた目盛画像が指し示す、前記指標片付記録媒体の前記指標片の位置を表す数値の入力を受け付ける
ことを特徴とする請求項１に記載の画像形成装置。
【請求項３】
前記読取手段は、連続して並べられる２つの指標片をそれぞれ有する記録媒体である２つの指標片付記録媒体と前記目盛付記録媒体とがそれぞれ重ね合わせられた状態で当該目盛付記録媒体の目盛画像を読み取り、
前記受付手段は、前記読取手段によって読み取られた目盛画像が指し示す、前記２つの指標片付記録媒体の前記指標片の各位置を表す数値の入力を受け付け、
前記画像形成手段は、前記２つの指標片付記録媒体に対しては、前記受付手段により受け付けられた数値により表される各位置にある各指標片に画像を形成し、前記２つの指標片付記録媒体以外の指標片付記録媒体に対しては、当該指標片付記録媒体の指標片の位置を、前記受付手段により受け付けられた数値に基づいて算出して、算出した当該位置にある指標片に画像を形成する
ことを特徴とする請求項２に記載の画像形成装置。
【請求項４】
前記読取手段は、連続して並べられる複数の指標片のうち、両端の指標片をそれぞれ有する記録媒体である２つの指標片付記録媒体と前記目盛付記録媒体とがそれぞれ重ね合わせられた状態で当該目盛付記録媒体の目盛画像を読み取り、
前記受付手段は、前記読取手段によって読み取られた目盛画像が指し示す、前記２つの指標片付記録媒体の前記指標片の各位置を表す数値の入力を受け付け、
前記画像形成手段は、前記２つの指標片付記録媒体に対しては、前記受付手段により受け付けられた数値により表される各位置にある各指標片に画像を形成し、前記２つの指標片付記録媒体以外の指標片付記録媒体に対しては、連続して並べられる前記複数の指標片の数と、当該指標片付記録媒体の指標片の位置を、前記受付手段により受け付けられた数値に基づいて算出して、算出した当該位置にある指標片に画像を形成する
ことを特徴とする請求項２に記載の画像形成装置。
【請求項５】
画像を形成する画像形成手段が、位置に応じた目盛を表す画像である目盛画像を記録媒体に形成して、目盛付記録媒体を生成する生成過程と、
数値の入力を受け付ける受付手段が、文書の閲覧者に対する指標となる指標片を有する記録媒体である指標片付記録媒体と生成された前記目盛付記録媒体とが重ね合わせられた状態で当該目盛付記録媒体の目盛画像が指し示す、前記指標片付記録媒体の前記指標片の位置を表す数値の入力を受け付ける受付過程と、
前記画像形成手段が、前記指標片を有する記録媒体である指標片付記録媒体において、前記受付過程により入力が受け付けられた数値に応じた位置に画像を形成する画像形成過程と
を有することを特徴とする画像形成方法。
【請求項６】
画像を読み取る読取手段が、前記指標片付記録媒体と前記目盛付記録媒体とが重ね合わせられた状態で当該目盛付記録媒体の目盛画像を読み取る読取過程を具備し、
前記受付過程は、前記読取過程によって読み取られた目盛画像が指し示す、前記指標片付記録媒体の前記指標片の位置を表す数値の入力を受け付ける
ことを特徴とする請求項５に記載の画像形成方法。
【発明の詳細な説明】
【技術分野】
【０００１】
本発明は、画像形成装置、および画像形成方法に関する。
【背景技術】
【０００２】
例えば章や節などのように、ひとまとまりの構成ごとに区分けされている文書を容易に閲覧するために、それらの章や節ごとに、文書の閲覧者に対する指標となる指標片の付いた仕切り材を挟み込むことがある。このような指標片付きの仕切り材は、インデックス紙やタブ紙等と呼ばれており、指標片はインデックスやタブ等と呼ばれている。このような仕切り材は、文書本体を構成する各頁よりも指標片の部分だけ大きいので、文書の閲覧者は、その文書中における仕切り材の位置の目印となる指標片をつまんで、希望する章や節が記載された頁を開き、閲覧することができる。上記の指標片には、その指標片を有する仕切り材で区分けされる章や節を示す文字等を印刷することがある。例えば、特許文献１には、第１タブ紙と第２タブ紙とを重ねた場合における第１タブ紙のタブ部と第２タブ紙のタブ部との位置関係を特定し、各タブ部に対する文字列の印字開始位置を決定する技術が開示されている。
【先行技術文献】
【特許文献】
【０００３】
【特許文献１】特開２００８−２７６４９３号公報
【発明の概要】
【発明が解決しようとする課題】
【０００４】
本発明の目的は、画像形成装置において記録媒体に画像を形成したときにその記録媒体に対する画像の位置がずれていたとしても、指標片に形成する画像の位置を記録媒体に対する画像の位置ずれの影響がない本来の位置に近づけることを可能にすることにある。
【課題を解決するための手段】
【０００５】
上述した課題を解決するため、本願の請求項１に係る画像形成装置は、位置に応じた目盛を表す画像である目盛画像を記録媒体に形成して、目盛付記録媒体を生成する生成手段と、文書の閲覧者に対する指標となる指標片を有する記録媒体である指標片付記録媒体と生成された前記目盛付記録媒体とが重ね合わせられた状態で当該目盛付記録媒体の目盛画像が指し示す、前記指標片付記録媒体の前記指標片の位置を表す数値の入力を受け付ける受付手段と、前記指標片を有する記録媒体である指標片付記録媒体において、前記受付手段により入力が受け付けられた数値に応じた位置に画像を形成する画像形成手段とを具備することを特徴とする。
【０００６】
本願の請求項２に係る画像形成装置は、請求項１に記載の態様において、前記指標片付記録媒体と前記目盛付記録媒体とが重ね合わせられた状態で当該目盛付記録媒体の目盛画像を読み取る読取手段を具備し、前記受付手段は、前記読取手段によって読み取られた目盛画像が指し示す、前記指標片付記録媒体の前記指標片の位置を表す数値の入力を受け付けることを特徴とする。
【０００７】
本願の請求項３に係る画像形成装置は、請求項２に記載の態様において、前記読取手段は、連続して並べられる２つの指標片をそれぞれ有する記録媒体である２つの指標片付記録媒体と前記目盛付記録媒体とがそれぞれ重ね合わせられた状態で当該目盛付記録媒体の目盛画像を読み取り、前記受付手段は、前記読取手段によって読み取られた目盛画像が指し示す、前記２つの指標片付記録媒体の前記指標片の各位置を表す数値の入力を受け付け、前記画像形成手段は、前記２つの指標片付記録媒体に対しては、前記受付手段により受け付けられた数値により表される各位置にある各指標片に画像を形成し、前記２つの指標片付記録媒体以外の指標片付記録媒体に対しては、当該指標片付記録媒体の指標片の位置を、前記受付手段により受け付けられた数値に基づいて算出して、算出した当該位置にある指標片に画像を形成することを特徴とする。
【０００８】
本願の請求項４に係る画像形成装置は、請求項２に記載の態様において、前記読取手段は、連続して並べられる複数の指標片のうち、両端の指標片をそれぞれ有する記録媒体である２つの指標片付記録媒体と前記目盛付記録媒体とがそれぞれ重ね合わせられた状態で当該目盛付記録媒体の目盛画像を読み取り、前記受付手段は、前記読取手段によって読み取られた目盛画像が指し示す、前記２つの指標片付記録媒体の前記指標片の各位置を表す数値の入力を受け付け、前記画像形成手段は、前記２つの指標片付記録媒体に対しては、前記受付手段により受け付けられた数値により表される各位置にある各指標片に画像を形成し、前記２つの指標片付記録媒体以外の指標片付記録媒体に対しては、連続して並べられる前記複数の指標片の数と、当該指標片付記録媒体の指標片の位置を、前記受付手段により受け付けられた数値に基づいて算出して、算出した当該位置にある指標片に画像を形成することを特徴とする。
【０００９】
本願の請求項５に係る画像形成方法は、画像を形成する画像形成手段が、位置に応じた目盛を表す画像である目盛画像を記録媒体に形成して、目盛付記録媒体を生成する生成過程と、数値の入力を受け付ける受付手段が、文書の閲覧者に対する指標となる指標片を有する記録媒体である指標片付記録媒体と生成された前記目盛付記録媒体とが重ね合わせられた状態で当該目盛付記録媒体の目盛画像が指し示す、前記指標片付記録媒体の前記指標片の位置を表す数値の入力を受け付ける受付過程と、前記画像形成手段が、前記指標片を有する記録媒体である指標片付記録媒体において、前記受付手段により入力が受け付けられた数値に応じた位置に画像を形成する画像形成過程とを有することを特徴とする。
【００１０】
本願の請求項６に係る画像形成方法は、請求項５に記載の態様において、画像を読み取る読取手段が、前記指標片付記録媒体と前記目盛付記録媒体とが重ね合わせられた状態で当該目盛付記録媒体の目盛画像を読み取る読取過程を具備し、前記受付過程は、前記読取過程によって読み取られた目盛画像が指し示す、前記指標片付記録媒体の前記指標片の位置を表す数値の入力を受け付けることを特徴とする。
【発明の効果】
【００１１】
請求項１に係る画像形成装置によれば、画像形成装置において記録媒体に画像を形成したときにその記録媒体に対する画像の位置がずれていたとしても、指標片に形成する画像の位置を記録媒体に対する画像の位置ずれの影響がない本来の位置に近づけることを可能にすることができる。
請求項２に係る画像形成装置によれば、画像形成装置において記録媒体に画像を形成したときにその記録媒体に対する画像の位置がずれていたとしても、そのずれを読み取り、指標片に形成する画像の位置を記録媒体に対する画像の位置ずれの影響がない本来の位置に近づけることを可能にすることができる。
請求項３に係る画像形成装置によれば、連続して並べられる２つの指標片に形成する画像の位置から、他の指標片に形成する画像の位置を推測することができる。
請求項４に係る画像形成装置によれば、連続して並べられる複数の指標片のうち、両端の指標片に形成する画像の位置から、他の指標片に形成する画像の位置を推測することができる。
請求項５に係る画像形成方法によれば、画像形成装置において記録媒体に画像を形成したときにその記録媒体に対する画像の位置がずれていたとしても、指標片に形成する画像の位置を記録媒体に対する画像の位置ずれの影響がない本来の位置に近づけることを可能にすることができる。
請求項６に係る画像形成方法によれば、画像形成装置において記録媒体に画像を形成したときにその記録媒体に対する画像の位置がずれていたとしても、そのずれを読み取り、指標片に形成する画像の位置を記録媒体に対する画像の位置ずれの影響がない本来の位置に近づけることを可能にすることができる。
【図面の簡単な説明】
【００１２】
【図１】画像形成システムの全体構成を示す図である。
【図２】画像形成装置の全体構成を示すブロック図である。
【図３】タブ紙の大きさ・形状を説明するための図である。
【図４】調整シートの構成の一例を示す図である。
【図５】調整シートに形成される目盛画像を拡大した図である。
【図６】画像形成装置における位置調整の動作の流れを表すフロー図である。
【図７】目盛画像が形成された調整シートにタブ紙を重ね合わせた状態を示す図である。
【図８】設定ユーザ・インターフェースの一例を示す図である。
【図９】位置調整情報により調整される画像の位置を説明する図である。
【図１０】変形例における位置調整情報について説明するための図である。
【発明を実施するための形態】
【００１３】
１．定義
以下に用語の定義を説明する。
文書とは、文字・記号・図形・写真等を表す画像が形成された用紙等の記録媒体を、複数まとめて綴じたものであり、この記録媒体を仕切り材で複数の部分に仕切ったものである。文書に含まれる記録媒体は、予め定められた大きさと形状（以下、定型という）を有している。
文書本体とは、上記の文書から仕切り材を除いたものである。
タブとは、文書本体を仕切る仕切り材に一体となって形成され、また、仕切り材に接着されている部材であり、文書本体を構成する定型の記録媒体の外側にはみ出す部材である。このタブは、文書を構成する章や節などの構成要素の指標となる指標片である。
タブ紙とは、予めタブを含む紙製の仕切り材である。このタブ紙と、文書を構成する記録媒体とを重ねたときには、タブが記録媒体の端からはみ出るので、タブ紙が仕切り材として機能し得ることになる。また、このタブ紙には画像が形成されるので、このタブ紙自体も記録媒体である。
長さ方向とは、定型の記録媒体の記録面を構成する矩形の長い辺が伸びる方向である。
幅方向とは、定型の記録媒体の記録面を構成する矩形の短い辺が伸びる方向である。
位置調整情報とは、タブに形成する画像の位置を調整するための情報であり、具体的には、形成されるべき位置と実際に形成される位置との長さ方向、および、幅方向のずれをそれぞれ表す数値である。
設定ユーザ・インターフェースとは、位置調整情報を設定する操作を、ユーザから対話的に受け付ける画面であり、液晶表示体などの表示面に表示される。
【００１４】
２．構成
以下、本発明の実施形態である画像形成システム９の構成を説明する。
２−１．全体構成
図１は、画像形成システム９の全体構成を示す図である。画像形成装置１は、ローカルネットワーク３やインターネット等の通信ネットワーク４を介して、外部処理装置２ａ，２ｂ，２ｃ（以下、特に区別の必要がない場合は、これらを総称して「外部処理装置２」と記す）と、情報の遣り取りをする。
【００１５】
２−２．画像形成装置の構成
図２は、画像形成装置１の全体構成を示すブロック図である。ＣＰＵ１１は、ＲＯＭ１２に記憶されているブートローダや記憶部１４に記憶されているコンピュータプログラムを読み出して実行することにより画像形成装置１の各部を制御する。ＲＯＭ１２は半導体素子等で構成された読み出し専用の不揮発性記憶装置である。このＲＯＭ１２には、記憶部１４に記憶されている基本ＯＳ（Operating System）をＲＡＭ（Random Access Memory）１３にロードするためのブートローダやＢＩＯＳ（Basic Input/Output System）などが記憶されている。ＲＡＭ１３はＣＰＵ１１がプログラムを実行する際のワークエリアとして利用される。記憶部１４はハードディスクドライブやＥＥＰＲＯＭ（Electrically Erasable Programmable Read Only Memory）などの大容量の不揮発性記憶装置であり、ＣＰＵ１１に読み込まれるプログラムを記憶する。また、記憶部１４は、位置調整情報を記憶する。
【００１６】
操作部１５は、例えば、液晶表示面を有するタッチパネル等と、数字・記号などに割り当てられた複数のキーで構成されるテンキー等を備えている。操作部１５の液晶表示面は、ＣＰＵ１１からの指示に応じて画像を表示するとともに、その液晶表示面に重ねて設けられた透明感圧センサにより、ユーザの指等が液晶表示面に触れた位置を示す情報を取得する。この取得した位置を示す情報に基づいて、ＣＰＵ１１は、ユーザの操作を解釈し、操作に応じた処理を実行する。画像形成部１６は、用紙等の記録媒体を供給する供給手段と、中間転写ベルト、および、いわゆるタンデムエンジンを備えた電子写真方式の画像形成手段であり、ＣＰＵ１１の制御の下、供給手段により供給された記録媒体上に、ＲＡＭ１３に一時的に記憶された画像データに応じた画像を形成する。画像取得部１７は、文書本体の各頁をそれぞれ表す画像データを取得する装置であり、例えば、文書本体を構成する各用紙上に描かれた画像を光学的に読み取って、その画像に応じた画像データを生成するスキャナなどである。通信部１８は、例えば各種のモデムや無線通信回路、シリアルインタフェースや、無線インターフェースなどであり、外部機器との間でデータの遣り取りを行う。
【００１７】
２−３．タブ紙の構成
図３は、画像形成装置１で用いられるタブ紙の大きさ・形状を説明するための図である。文書本体に用いられる定型の記録媒体の寸法は、国際標準化機構（ISO：International Organization for Standardization）で定められた紙の寸法（ISO216）におけるＡ４に準じている。すなわち、この寸法は、幅方向が２１ｃｍで長さ方向が２９．７ｃｍである。この寸法の領域を領域Ｒａと呼ぶ。基準点Ｏは、同図に示すように領域Ｒａの１つの頂点から幅方向に１ｃｍ外側にある。この基準点Ｏを中心に、幅方向にｘ軸を、長さ方向にｙ軸を定め、これらの座標軸で特定される記録媒体上の座標（ｘ，ｙ）を実体座標と呼ぶ。この実体座標で領域Ｒａの各頂点を表すと、（１，０）、（２２，０）、（１，２９．７）、（２２，２９．７）となる。ただし、座標値の単位はｃｍ（センチメートル）である。記録媒体は、ｘ軸方向と同一の方向である矢線Ｄ３方向に移動して、画像形成手段により、その表面に画像が形成される。
【００１８】
タブ領域Ｒｔ１，Ｒｔ２，・・・，Ｒｔ６（以下、特に区別の必要がない場合は、これらを総称して「タブ領域Ｒｔ」と記す）はタブ紙のタブが占める領域である。タブ領域Ｒｔは幅方向が１ｃｍで長さ方向が２ｃｍの矩形の領域であり、同図に示すように、タブ領域Ｒｔ１は、基準点Ｏから長さ方向に１ｃｍ離れた位置に配置され、タブ領域Ｒｔ２，Ｒｔ３，・・・，Ｒｔ６は、タブ領域Ｒｔ１の長さ方向にこの順で並べられている。タブ紙は６種類あり、種類毎にそれぞれ異なる１つのタブ領域Ｒｔと領域Ｒａとを含む大きさ、および、形状に成形されている。
【００１９】
２−４．調整シートの構成
図３において、領域Ｒは、各タブ領域Ｒｔと領域Ｒａとの双方を全て内包する最小の矩形により表される領域である。画像形成装置１は、この領域Ｒの大きさにカットされた記録媒体である調整シートＰｍを用いる。図４は、調整シートＰｍの構成の一例を示す図である。調整シートＰｍは、領域Ｒの大きさ、すなわち、幅方向が２２ｃｍで長さ方向が２９．７ｃｍの矩形にカットされており、図３に示した基準点Ｏを頂点に含む。画像形成装置１は、調整シートＰｍ上に、位置に応じた目盛を表す目盛画像を形成する。この目盛画像とは、同図に示すように、幅方向の位置を測定するための幅方向目盛と、長さ方向の位置を測定するための長さ方向目盛である。画像形成装置１により、目盛画像が形成された調整シートＰｍは、図４に示す通りであり、位置に応じた目盛を表す画像である目盛画像を記録媒体に形成して生成される目盛付記録媒体の一例である。この目盛画像の形成の際には、調整シートＰｍは、図３に示した矢線Ｄ３方向と同一の方向に移動させられる。
【００２０】
図５は、図４に破線で示した矩形部分における目盛画像を拡大した図である。同図に示すように、目盛画像は、予め定められた刻み幅（ここでは、２ｍｍ）で配列された幅方向または長さ方向の目盛そのものと、予め定められた数の目盛毎（ここでは、５本の目盛毎）に表される数値画像を含む。この数値画像とは、基準点Ｏからの距離を表す数値を表す画像であり、同図において例えば、アラビア数字の「２」「６」等である。
【００２１】
３．動作
次に、画像形成システム９の動作のうち、特に画像形成装置１の動作を中心に説明する。
図６は、画像形成装置１における位置調整の動作の流れを表すフロー図である。ユーザは、画像形成部１６の図示しない供給装置に、未使用の調整シートＰｍを置き、操作部１５を操作して目盛画像の形成を指示すると、ＣＰＵ１１の制御の下、この供給装置は調整シートＰｍを搬送し、画像形成部１６は搬送された調整シートＰｍの表面に目盛画像を形成する（ステップＳ１０１）。すなわち、画像形成部１６は、位置に応じた目盛を表す画像である目盛画像を記録媒体に形成して、目盛付記録媒体を生成する生成手段の一例である。次に、ユーザは、目盛画像が形成された調整シートＰｍにタブ紙Ｐｘを重ね合わせ（ステップＳ１０２）、タブ紙Ｐｘのタブ領域Ｒｔの位置を調整シートＰｍに形成された目盛画像により読み取る（ステップＳ１０３）。
【００２２】
図７は、目盛画像が形成された調整シートＰｍにタブ紙Ｐｘを重ね合わせた状態を示す図である。このタブ紙Ｐｘは、領域Ｒａとタブ領域Ｒｔ１とを含む形状を有する。ユーザは、調整シートＰｍの上に、タブ紙Ｐｘを重ね合わせる。図７に示す幅方向基準線Ｌｘとは、調整シートＰｍの実体座標のうち、ｘ座標が２２である線であり、要するに幅方向において、基準点Ｏから最も離れた調整シートＰｍの辺を含む線である。長さ方向基準線Ｌｙとは、調整シートＰｍの実体座標のうち、ｙ座標が２９．７である線であり、要するに長さ方向において、基準点Ｏから最も離れた調整シートＰｍの辺を含む線である。このときユーザは、図７に示すように、調整シートＰｍの幅方向基準線Ｌｘと長さ方向基準線Ｌｙに、タブ紙Ｐｘの各辺が重なるように、調整シートＰｍの上に、タブ紙Ｐｘを重ね合わせる。用紙等の記録媒体をカットする際の誤差は、画像形成におけるずれに比較して極めて小さいため、ここではカットに由来する誤差は無視する。つまり、調整シートＰｍ、および、タブ紙Ｐｘの幅および長さは図３に示したとおりであり、四隅の角度は略直角である。
【００２３】
図７に示すように、調整シートＰｍの上に、タブ紙Ｐｘを重ね合わせたときに、ユーザは、幅方向におけるタブの輪郭の位置である位置ｗに記述された目盛画像の目盛を読み取り、読み取った数値を幅方向の開始位置を表す数値（以下単に、幅方向開始位置という）とする。同様に、ユーザは、長さ方向におけるタブの輪郭の位置である位置ｈ１、ｈ２に記述された目盛画像の目盛を読み取り、読み取った各数値をそれぞれ、長さ方向の開始位置（以下単に、長さ方向開始位置という）、および、長さ方向の終了位置（以下単に、長さ方向終了位置という）とする。幅方向開始位置、長さ方向開始位置、および、長さ方向終了位置は、タブに形成する画像の位置を調整するための情報であり、すなわち、位置調整情報である。
【００２４】
そして、ユーザは読み取った位置調整情報を操作部１５の液晶表示面に表示された設定ユーザ・インターフェース（図においては、「ユーザ・インターフェース」を「ＵＩ」と記す）に入力する（ステップＳ１０４）。
図８は、設定ユーザ・インターフェースの一例を示す図である。上述のように、設定ユーザ・インターフェースは、ＣＰＵ１１の制御の下、操作部１５の液晶表示面に表示される。設定ユーザ・インターフェースの最上部には「タブプリント」という文字列Ｔ０が表示される。この文字列は設定ユーザ・インターフェースのタイトルであり、設定ユーザ・インターフェースにより行う処理、すなわちタブ紙に対する画像形成処理を示している。このタイトルの下には、設定ファイル名という文字列Ｔ１が表示され、その右側には矩形のテキストボックスＢ１が表示されている。ユーザは、このテキストボックスＢ１の内側を指等で触れると、この操作に応じた位置がＣＰＵ１１に伝えられ、ＣＰＵ１１はテキストボックスＢ１に対する入力の受け付けを開始する。このときユーザがテンキーにより、例えば「２００８０８２１−１９１８１３」という順序でキーを押下すると、ＣＰＵ１１は、テキストボックスＢ１に「２００８０８２１−１９１８１３」という文字列を表示させるとともに、ここで入力される設定を記憶部１４のファイルに記憶させるときのファイルの識別子である「設定ファイル名」として「２００８０８２１−１９１８１３」をＲＡＭ１３に記憶する。
【００２５】
文字列Ｔ１の下には「１組の枚数」という文字列Ｔ２が表示されており、この右側には複数の数値から１つの数値を選択するためのボックスＢ２が表示されている。ボックスＢ２は、選択された数値の表示領域と、その数値を上下させるボタン領域とが左右に配置されている。このボタン領域に表示されている上方向の三角ボタンにユーザの指等が触れると、上記の数値は１つずつ上昇し、下方向の三角ボタンにユーザの指等が触れると、上記の数値は１つずつ下降する。ボックスＢ２で選択された数値は、「１組の枚数」としてＣＰＵ１１により解釈される。同図に示す例では、「１組の枚数」は「６」である。
【００２６】
文字列Ｔ２の下には「幅方向開始位置：」という文字列Ｔ３が表示されており、この右側には数値を入力するためのテキストボックスＢ３が表示されている。テキストボックスＢ１と同様に、このテキストボックスＢ３の内側を指等で触れると、この操作に応じた位置がＣＰＵ１１に伝えられ、ＣＰＵ１１はテキストボックスＢ３に対する入力の受け付けを開始する。このときユーザがテンキーにより、例えば、位置ｗに記述された目盛画像の目盛である「１」に相当するキーを押下すると、ＣＰＵ１１は、テキストボックスＢ３に「１」という文字列を表示させるとともに、「幅方向開始位置」として「１」をＲＡＭ１３に記憶する。
【００２７】
文字列Ｔ３の下には「長さ方向開始位置：」という文字列Ｔ４が表示されており、この右側には数値を入力するためのテキストボックスＢ４が表示されている。さらに、テキストボックスＢ４の右側には「長さ方向終了位置：」という文字列Ｔ５が表示されており、この右側には数値を入力するためのテキストボックスＢ５が表示されている。上述のテキストボックスＢ３に対する入力の受け付けと同様に、テキストボックスＢ４により受け付けられた数値は「長さ方向開始位置」としてＲＡＭ１３に記憶され、テキストボックスＢ５により受け付けられた数値は「長さ方向終了位置」としてＲＡＭ１３に記憶される。
【００２８】
設定ユーザ・インターフェースの画面の右下には、入力された文字列および数値により設定を行うＯＫボタンＢ６と、これらを却下するキャンセルボタンＢ７が表示されている。ユーザが指等でキャンセルボタンＢ６の内側に触れると、ＣＰＵ１１は、例えば、入力された内容を全て破棄する。その結果、テキストボックスＢ１等には空白が表示され、ＲＡＭ１３に記憶された設定は消去される。
【００２９】
一方、ユーザが指等でＯＫボタンＢ５の内側に触れると、ＲＡＭ１３に記憶された「設定ファイル名」、「１組の枚数」、「幅方向開始位置」、「長さ方向開始位置」、および、「長さ方向終了位置」で設定が行われる。すなわち、設定ユーザ・インターフェースが表示される操作部１５は、文書の閲覧者に対する指標となる指標片を有する記録媒体である指標片付記録媒体と生成された前記目盛付記録媒体とが重ね合わせられた状態で当該目盛付記録媒体の目盛画像が指し示す、前記指標片付記録媒体の前記指標片の位置を表す数値の入力を受け付ける受付手段の一例である。
例えば、図８に示すように設定された場合には、「幅方向開始位置」は「１」であり、「長さ方向開始位置」は「１」であり、「長さ方向終了位置」は「３」であるから、タブ領域Ｒｔ１は実体座標で、点（０，１）と点（１，３）とを対角に持つ矩形領域となる。そして、「１組の枚数」は「６」であるから、タブ領域Ｒｔ１〜Ｒｔ６の６つのタブ領域Ｒｔが定まり、全タブ領域Ｒｔの長さ方向の長さは２ｃｍである。したがって、タブ領域Ｒｔ１〜Ｒｔ６は、長さ方向へ１２ｃｍに亘って配列されることが定義される。ＣＰＵ１１は、設定ユーザ・インターフェースで入力された位置調整情報により、画像形成部１６がタブに形成する画像の位置を調整する。すなわち、ＣＰＵ１１と画像形成部１６は、指標片を有する記録媒体である指標片付記録媒体において、受付手段により入力が受け付けられた数値に応じた位置に画像を形成する画像形成手段の一例である。
【００３０】
図９は、上記のように設定された位置調整情報により調整される画像の位置を説明する図である。基準点Ｏを中心とするｘ軸およびｙ軸は実体座標を示している。画像形成部１６が経時変化することにより、形成する画像の位置にレジずれ等と呼ばれるずれが生じることがある。このずれは予測不可能なものであり、基準点Ｏに相当する位置が、図９に示す点Ｏａにずれる場合や、点Ｏｂにずれる場合等、様々である。ＣＰＵ１１が、同一の数値に基づいて、その数値に応じた位置に画像を形成しようとすると、画像形成部１６が経時変化する前においては、実体座標との誤差が比較的小さい位置に画像が形成されるが、画像形成部１６が経時変化した後においては、実体座標からずれた位置に画像が形成される。
【００３１】
例えば、画像形成部１６が経時変化する前において、ＣＰＵ１１が基準点Ｏを示す座標（０，０）に画像を形成しようとすると、実体座標における座標（０，０）にその画像は形成される。しかし、経時変化の結果、基準点Ｏが点Ｏａにずれたとすると、ＣＰＵ１１が座標（０，０）に画像を形成しようとした場合に、実体座標においてその画像が形成される位置は座標（ΔＸａ，ΔＹａ）である（ΔＸａ、および、ΔＹａはともに正の実数）。同様に、基準点Ｏが点Ｏｂにずれたとすると、実体座標においてその画像が形成される位置は座標（−ΔＸｂ，−ΔＹｂ）となるため（ΔＸｂ、および、ΔＹｂはともに正の実数）、この場合には、調整シートＰｍやタブ紙Ｐｘの範囲外になり、少なくともこの点Ｏｂには画像が形成されない。
【００３２】
このように、ＣＰＵ１１が同一の数値に基づいて画像を形成しようとしても、画像形成部１６が経時変化することにより、実際にその画像が形成される位置はずれてしまう。しかし、上記のように調整シートを用いると、調整シートに形成される目盛画像は、経時変化により生じたずれを含んだ位置に形成されるため、実体座標における位置、すなわち、上述したようにタブ紙を重ね合わせたときにおけるタブの輪郭の位置に形成されている目盛画像の目盛を読み取り、読み取った数値で設定を行うことにより、経時変化により生じたずれを含んだ設定を行うことができる。したがって、この画像形成システム９を用いると、記録媒体に比して一般に小さな領域であるタブ領域に対して画像を形成する位置の精度があがるため、タブ紙のミスプリントが減少する。
【００３３】
４．変形例
以上が実施形態の説明であるが、この実施形態の内容は以下のように変形し得る。また、以下の変形例を組み合わせてもよい。
（１）上述の実施形態において、ユーザがタブ紙Ｐｘのタブ領域Ｒｔの位置を調整シートＰｍに形成された目盛画像により読み取っていたが、この位置は画像取得部１７により読み取られてもよい。具体的には、ユーザが画像取得部１７の図示しない原稿自動送り装置（ＡＤＦ：Auto Document Feeder）に、タブ紙Ｐｘが重ねられた調整シートＰｍを置き、操作部１５を操作してタブ領域Ｒｔの位置を読み取る指示をすると、ＣＰＵ１１の制御の下、この原稿自動送り装置は、タブ紙Ｐｘと調整シートＰｍとを重ねたまま、これらを画像取得部１７に搬送する。そして、画像取得部１７は搬送されたタブ紙Ｐｘと調整シートＰｍをスキャンし、タブ紙Ｐｘの輪郭線と、調整シートＰｍに記録された目盛画像とを含む画像を読み取る。すなわち、画像取得部１７は、指標片付記録媒体と目盛付記録媒体とが重ね合わせられた状態でこの目盛付記録媒体の目盛画像を読み取る読取手段の一例である。そして、ＣＰＵ１１は、読み取られた画像に対してラベリング処理などを施すことにより、タブ紙Ｐｘの輪郭を特定し、特定されたその輪郭のうち、予め定められた部分にそれぞれ描かれている目盛画像に対してパターンマッチング処理などを施すことにより、それぞれの目盛画像が示す位置調整情報を取得すればよい。この場合、ＣＰＵ１１は、読取手段によって読み取られた目盛画像が指し示す、指標片付記録媒体の指標片の位置を表す数値の入力を受け付ける受付手段の一例である。
【００３４】
（２）上述の実施形態において、或るタブについて読み取った位置調整情報により、そのタブに形成する画像の位置を調整していたが、或るタブについて読み取った位置調整情報に基づいて、そのタブ以外のタブに形成する画像の位置を推測して調整してもよい。例えば、図３に示すタブ領域Ｒｔ２の長さ方向開始位置は、タブ領域Ｒｔ１の長さ方向終了位置に同じ位置に定められている。そして、タブ領域Ｒｔ２の長さ方向開始位置と長さ方向終了位置との差、すなわち、タブ領域Ｒｔ２の長さは、タブ領域Ｒｔ１の長さに等しい。したがって各位置を表す数値を、その位置の識別子（ｈ１、ｈ２など）で表すとすると、タブ領域Ｒｔ２の長さ方向終了位置は、図７においてｈ２＋（ｈ２−ｈ１）となる。以下、位置を表す数値については同様に記述する。
【００３５】
また、或るタブ領域Ｒｔ（Ｎ）の長さ方向終了位置が、そのタブ領域Ｒｔに連続して並べられるタブ領域Ｒｔ（Ｎ＋１）の長さ方向開始位置と同じ位置に定められていない場合もある。図１０は、この変形例における位置調整情報について説明するための図である。この場合、例えば、同図に示すように、タブ領域Ｒｔ１，Ｒｔ２，Ｒｔ３の幅方向開始位置は、位置ｗである。タブ領域Ｒｔ１の長さ方向開始位置は位置ｈ１１であり、長さ方向終了位置は位置ｈ１２である。タブ領域Ｒｔ２の長さ方向開始位置は位置ｈ２１であり、長さ方向終了位置は位置ｈ２２である。そして、タブ領域Ｒｔ３の長さ方向開始位置は位置ｈ３１であり、長さ方向終了位置は位置ｈ３２である。
【００３６】
同図に示すように、ｈ１２≠ｈ２１であり、ｈ２２≠ｈ３１である。この場合、ＣＰＵ１１は、位置ｈ１１、ｈ１２、ｈ２１、ｈ２２に基づいて、位置ｈ３１、ｈ３２を推測する。具体的には、例えば、位置ｈ３１と位置ｈ２２との距離は、位置ｈ２１と位置ｈ１２との距離に等しいと仮定した上で、ＣＰＵ１１は、ｈ３１＝ｈ２２＋（ｈ２１−ｈ１２）という式により位置ｈ３１を推測する。同様に、位置ｈ３１と位置ｈ３２との距離は、位置ｈ１１と位置ｈ１２との距離に等しいと仮定した上で、ＣＰＵ１１は、ｈ３２＝ｈ３１＋（ｈ１２−ｈ１１）という式により位置ｈ３２を推測する。そして、画像形成部１６は、ＣＰＵ１１の制御の下、推測した位置ｈ３１から位置ｈ３２までの間にあるタブ領域Ｒｔ３に画像を形成する。すなわち、ＣＰＵ１１と画像形成部１６とは、連続して並べられる２つの指標片をそれぞれ有する記録媒体である指標片付記録媒体以外の指標片付記録媒体に対しては、当該指標片付記録媒体の指標片の位置を、受付手段により受け付けられた数値に基づいて算出して、算出した当該位置にある指標片に画像を形成する画像形成手段の一例である。
【００３７】
また、連続して並べられる複数のタブ領域Ｒｔのうち、両端のタブ領域Ｒｔについて位置調整情報を読み取り、これにより、他のタブ領域Ｒｔの位置調整情報を推測してもよい。例えば、図１０の例では、連続するタブ領域Ｒｔの数Ｎは３であり、ＣＰＵ１１は、この両端のタブ領域Ｒｔ１，Ｒｔ３についての位置調整情報を読み取り、これに基づいて他の位置調整情報を推測する。具体的には、ＣＰＵ１１は、位置ｈ１１、ｈ１２、ｈ３１、ｈ３２に基づいて、位置ｈ２１、ｈ２２を推測する。位置ｈ２１はタブ領域Ｒｔ２の長さ方向開始位置である。これは、タブ領域Ｒｔ１の長さ方向開始位置である位置ｈ１１と、タブ領域Ｒｔ３の長さ方向開始位置である位置ｈ３１との間を数（Ｎ−１）で分割した位置にあるから、例えばｈ２１＝（ｈ１１＋ｈ３１）／２という式などにより、位置ｈ１１と位置ｈ３１とから求まる。同様に、位置ｈ２２も、位置ｈ１２と位置ｈ３２とから求まる。そして、画像形成部１６は、ＣＰＵ１１の制御の下、推測した位置ｈ２１から位置ｈ２２までの間にあるタブ領域Ｒｔ２に画像を形成する。すなわち、ＣＰＵ１１と画像形成部１６とは、連続して並べられる複数の指標片のうち、両端の指標片をそれぞれ有する記録媒体である指標片付記録媒体以外の指標片付記録媒体に対しては、連続して並べられる前記複数の指標片の数と、当該指標片付記録媒体の指標片の位置を、受付手段により受け付けられた数値に基づいて算出して、算出した当該位置にある指標片に画像を形成する画像形成手段の一例である。
これにより、１つのタブ領域Ｒｔの長さよりも、複数のタブ領域Ｒｔが並べられたその両端の長さの方が長いから、１つのタブ領域Ｒｔの位置調整情報に含まれる読み取りの際の誤差（読取誤差）は後者の方が小さくなる。読取誤差は、連続して並べられたタブ領域Ｒｔの数で割られて分散されるからである。
【符号の説明】
【００３８】
１…画像形成装置、１１…ＣＰＵ、１２…ＲＯＭ、１３…ＲＡＭ、１４…記憶部、１５…操作部、１６…画像形成部、１７…画像取得部、１８…通信部、２…外部処理装置、３…ローカルネットワーク、４…通信ネットワーク、９…画像形成システム
【図１】
2011043613.tif 000003
【図２】
2011043613.tif 000004
【図３】
2011043613.tif 000005
【図４】
2011043613.tif 000006
【図５】
2011043613.tif 000007
【図６】
2011043613.tif 000008
【図７】
2011043613.tif 000009
【図８】
2011043613.tif 000010
【図９】
2011043613.tif 000011
【図１０】
2011043613.tif 000012